(57)【要約】【課題】電子機器内のプリント回路板間を伝送するケーブルから発生する放射ノイズの抑制効果の高いプリント回路板配置構造を提供する。【解決手段】プリント回路板を、プリント回路板下に設けられた導電性筐体に対して傾けて配置する構成をとる。【選択図】        図１
2004356249.tif 000002
【特許請求の範囲】
【請求項１】
プリント回路板と、該プリント回路板直下に配置された導電性筐体と、該プリント回路板に接続され該導電性筐体上に配置されるケーブルとを有し、該ケーブルが接続される該プリント回路板の辺を、該導電性筐体に対して該導電性筐体に近接するよう該プリント回路板を傾けて配置することを特徴とするプリント回路板配置構造。
【請求項２】
前記プリント回路板の前記導電性筐体と近接している辺と対向する辺の周辺に、前記プリント回路板と前記導電性筐体との近接距離以上の高さを持つ部品が実装されていることを特徴とする、請求項１記載のプリント回路板配置構造。
【請求項３】
前記プリント回路板の前記導電性筐体と近接している辺に存在するプリント回路板グラウンドと、前記導電性筐体とが接続されていることを特徴とする、請求項１、または２に記載のプリント回路板配置構造。
【請求項４】
前記プリント回路板の前記導電性筐体と近接している辺に存在する前記ケーブルの配線経路直下の前記プリント回路板に穴を設け、その穴に前記ケーブルを通し、前記プリント回路板と前記導電性筐体とで前記ケーブルを挟み込むことで、前記ケーブルを前記導電性筐体に近接させることを特徴とする、請求項１、または２に記載のプリント回路板配置構造。
【請求項５】
前記請求項１乃至４のいずれかに１項に記載のプリント回路板配置構造を有する事を特徴とするプリント回路板配置構造を有する電子機器。
【発明の詳細な説明】
【０００１】
【発明の属する技術分野】
本発明は、電子機器内のプリント回路間の電気信号伝送に用いられるプリント回路板配置構造に関する。
【０００２】
【従来の技術】
近年の電子機器の高速化、高性能化などに伴い、電子機器からの放射ノイズによる他の電子機器への影響が問題となっている。この放射ノイズによる他の電子機器への影響が問題となっている。この放射ノイズによる他の電子機器への影響はＥＭＩ（Ｅｌｅｃｔｒｏ  Ｍａｇｎｅｔｉｃ  Ｉｎｔｅｒｆｅｒｅｎｃｅ）と呼ばれ、電子機器の誤動作を引き起こす。このため、放射ノイズに関しては問題となる周波数帯域を定め、電子機器からの放射量の規制を行っている。また、電子機器製造メーカはこの規制に適合するように製品を設計製造する必要がある。
【０００３】
電子機器からの放射ノイズは、プリント回路板やプリント回路板間に接続されたケーブルなどから発生する。特に、プリント回路板間に電気信号を伝送するために接続されたケーブルは、近年の信号伝送の高速化により放射ノイズの放射源としての問題が大きくなっており、ケーブルからの放射ノイズをいかに抑制するかが問題となっている。
【０００４】
ケーブルからの放射ノイズを抑制する技術としては、ケーブル直下に近接して導電面を配置する方法が一般的である。
【０００５】
また、ケーブルからの放射ノイズを抑制する他の技術としては、特開平６―３８７７号公報に記載されているように、ケーブルを導電性部材で覆う構成が提案されている。特開平６−３８７７号公報においては、デジタル複写機のフレームに形成された導電性強磁性材、例えば軟鉄管からなるダクトの内部に、プリント回路板を接続するケーブル（ファーネス）を収納する事により、放射ノイズを抑制し他の負荷に及ぼすノイズの影響を防止している。
【０００６】
しかしながら、これらの技術ではケーブルがプリント回路板と接続する部分において、ケーブルと導電面との距離が離れてしまうため、この部分において放射ノイズが急激に増大してしまうという課題があった。
【０００７】
ケーブルとプリント回路板の接続部分からの放射ノイズを抑制する技術としては、プリント回路板を導電面に近接させて配置する方法が考えられる。
【０００８】
また、ケーブルとプリント回路板の接続部分からの放射ノイズを抑制する他の技術としては、特開平１１−４０９００号公報（先行特許１）に記載されているように、プリント回路板の導電面を変形させて筐体部に接続させ、その変形部に近接させてケーブルを配置することにより、放射ノイズを抑制する方法が提案されている。
【０００９】
【特許文献１】
特開平１１−４０９００号
【００１０】
【発明が解決しようとする課題】
しかしながら、プリント回路板を導電面に近接させて配置させる方法においては、プリント回路板の裏面に導電面との近接距離よりも高い部品が実装されたり、プリント回路板を導電面に近接することによりプリント回路板の配線がショートしてしまう可能性があるので現実的とは言えない。
【００１１】
また、特開平１１−４０９００号公報の図７（ｂ）に記載された筐体を変形させることにより、ケーブルを筐体部に近接させる構成においては、あらかじめ筐体部を加工して変形させなければならないため、筐体部を形成するのに非常に手間とコストがかかってしまい現実的とは言えない。
【００１２】
【課題を解決するための手段】
以上の課題を解決するため本発明においては、プリント回路板と、該プリント回路板直下に配置された導電性筐体と、該プリント回路板に接続され該導電性筐体上に配置されるケーブルとを有し、該ケーブルが接続される該プリント回路板の辺を、該導電性筐体に対して該導電性筐体に近接するよう該プリント回路板が傾けて配置されているプリント回路板配置構造を提案している。
【００１３】
また本発明においては、前記プリント回路板の前記導電性筐体と近接している辺と対向する辺の周辺に、前記プリント回路板と前記導電性筐体との近接距離以上の高さを持つ部品を実装しているプリント回路板配置構造を提案している。
【００１４】
また本発明においては、前記プリント回路板の前記導電性筐体と近接している辺に存在するプリント回路板グラウンドと、前記導電性筐体とを接続しているプリント回路板配置構造を提案している。
【００１５】
また本発明においては、前記プリント回路板の前記導電性筐体と近接している辺に存在する前記ケーブルの配線経路直下の前記プリント回路板に穴を設け、その穴に前記ケーブルを通し、前記プリント回路板と前記導電性筐体とで前記ケーブルを挟み込むことで、前記ケーブルが前記導電性筐体に近接しているプリント回路板配置構造を提案している。
【００１６】
また本発明においては、前記プリント回路板配置構造を有する電子機器を提案している。
【００１７】
【発明の実施の形態】
本発明に関わるプリント回路板配置構成により、ケーブルから放射される放射ノイズを抑制する原理を図５及び図６の模式図を使って説明する。図５は従来例のプリント回路板配置構成を、図６は本発明のプリント回路板配置構成をそれぞれ示している。図５において、１はプリント回路板である。２はプリント回路板から引き出されるケーブルであり、ここではフラットケーブルとして記載されている。ケーブル２はプリント回路板１とコネクタ３により接続されており、プリント回路板１下に設けられた導電性筐体４上に配置されている。１００ａ、１００ｂ、１００ｃはケーブル２を流れる電流であり、１０１ａ、１０１ｂ、１０１ｃは導電性筐体４上を流れるリターン電流である。図５に示す従来例の構成では、導電性筐体４上にケーブル２が配置されたところではケーブル２を流れる電流１００ａに対して導電性筐体４上を流れるリターン電流１０１ａが近くを流れるため、磁界の打ち消し効果が大きくなりケーブル２から放射される放射ノイズを抑制することができるが、ケーブル２とプリント回路板１の接続部分ではケーブル２を流れる電流１００ｂに対して導電性筐体４上を流れるリターン電流１０１ｂが、ケーブル２とプリント回路板１の接続部分の近くを流れないため、磁界の打ち消し効果が小さくなり放射ノイズが増大する。
【００１８】
これに対して本発明による図６のプリント回路板配置構成では、ケーブル２が接続されるプリント回路板１の辺を、導電性筐体４に近接するようにプリント回路板１が傾けて配置されており、ケーブル２とプリント回路板１の接続部分を流れる電流１００ｃに対しても導電性筐体４上を流れるリターン電流１０１ｃが、ケーブル２とプリント回路板１の接続部分の近くを流れるため、磁界の打ち消し効果が大きくなることが分かる。従って図６に示した構成にすることにより、図５の場合に比べて大幅に放射ノイズは抑制されることが分かる。尚、図６において、図５と同じ部材には同じ符号を付し、その説明は省略する。
【００１９】
但し、本発明において、プリント回路板１と導電性筐体４とが垂直に配置されている場合は含まないものとする。
【００２０】
［第１の実施の形態］
図１は本発明の第１の実施の形態に係るプリント回路板配置構造を示す斜視図であり、説明を容易にするために一部透視して示してある。図１において、１はプリント回路板である。２はプリント回路板から引き出されるケーブルであり、ここではフラットケーブルとなっている。ケーブル２はプリント回路板１とコネクタ３により接続されており、プリント回路板１下に設けられた導電性筐体４上に配置されている。５はプリント回路板１の底面に設けられた４つのスペーサである。プリント回路板１はスペーサ５によって、導電性筐体４に近接するよう傾けて固定保持されている。
【００２１】
また、プリント回路板１の裏面に存在するプリント回路板１と導電性筐体４との近接距離以上の高さを持つ部品６を、図２に示すように、導電性筐体４と近接しているプリント回路板１の辺とは対抗する辺の周辺に配置することで、ケーブル２とプリント回路板１の接続部分をより導電性筐体４に近接することができ、放射ノイズをさらに抑制することができる。尚、図２において図１と同じ部材は同じ符号を付し、その説明は省略する。
【００２２】
また、導電性筐体４と近接しているプリント回路板１の辺に存在するプリント回路板グラウンド１ａと、導電性筐体４とを図３に示すように接続することで、ケーブル２とプリント回路板１の接続部分における放射ノイズをさらに抑制することができる。尚、図３において、図１と同じ部材には同じ符号を付し、その説明は省略する。
【００２３】
尚、前述のケーブル２はフラットケーブルとして説明したが、本実施の形態はそれに限られるものではなく、ワイヤケーブル、ツイストペアケーブル、フレキシブルケーブルや、同軸ケーブルをはじめとするシールドケーブルなどであってもかまわない。
【００２４】
また、第１の実施の形態に示すプリント回路板配置構造を、複写機、プリンタ、ＦＡＸ、スキャナー等の電子機器に使用することにより、これらから放射される放射ノイズを大幅に抑制することができ、他の電子機器への影響を大幅に抑制することができる。
【００２５】
［第２の実施の形態］
図４は本発明の第２の実施の形態に係るプリント回路板配置構造を示す斜視図であり、説明を容易にするために一部透視してある。第２の実施の形態は、前述の第１の実施の形態の導電性筐体４と近接しているプリント回路板１の辺に存在するケーブル２の配線経路直下のプリント回路板１に穴７を設け、その穴７にケーブル２を通し、プリント回路板１と導電性筐体４とでケーブル２を挟み込むことで、ケーブル２が導電性筐体４に近接されている。尚、図４において、図１と同じ部材には同じ符号を付し、その説明は省略する。
【００２６】
また、プリント回路板１の裏面に存在するプリント回路板１と導電性筐体４との近接距離以上の高さを持つ部品６を、導電性筐体４と近接しているプリント回路板１の辺とは対抗する辺の周辺に配置することで、ケーブル２とプリント回路板１の接続部分をより導電性筐体４に近接することができ、放射ノイズをさらに抑制することができる。
【００２７】
尚、導電性筐体４と近接しているプリント回路板１の辺と対抗する面側の配線層の１部は、プリント回路板グラウンドであることが望ましい。
【００２８】
尚、前述のケーブル２はフラットケーブルとして説明したが、本実施の形態はそれに限られるものではなく、ワイヤケーブル、ツイストペアケーブル、フレキシブルケーブルや、同軸ケーブルをはじめとするシールドケーブルなどであってもかまわない。
【００２９】
このように、第２の実施の形態に示すプリント回路板配置構造においても、前述の第１の実施の形態と同等もしくはそれ以上の効果を得ることができる。
【００３０】
【発明の効果】
以上説明したように、本発明におけるプリント回路板配置構造においては、導電性筐体を加工する必要が無く、単にプリント回路板を傾けて固定すれば良いだけなので、構造が非常に簡単で構成する手間がかからない。また、プリント回路板の裏面にプリント回路板と導電性筐体との近接距離以上の高さを持つ部品があり、プリント回路板を導電性筐体に近接させることが困難な場合においても、プリント回路板と導電性筐体との近接距離以上の高さを持つ部品を、導電性筐体と近接しているプリント回路板の辺とは対向する辺の周辺に配置することで、ケーブルとプリント回路板の接続部分を導電性筐体により近接することができ、ケーブルとプリント回路板の接続部分における放射ノイズをさらに抑制することができる。
【００３１】
また、導電性筐体と近接しているプリント回路板の辺に存在するプリント回路板グラウンドを導電性筐体に接続することで、ケーブルとプリント回路板の接続部分における放射ノイズをさらに抑制することができる。
【００３２】
また、導電性筐体と近接しているプリント回路板の辺に存在するケーブル直下のプリント回路板に穴を設け、その穴にケーブルを通し、ケーブルをプリント回路板と導電性筐体で挟み込むことで、ケーブルを導電性筐体と近接することができ、ケーブルとプリント回路板の接続部分における放射ノイズをさらに抑制することができる。
【００３３】
また、前述したプリント回路板配置構造を、複写機、プリンタ、ＦＡＸ、スキャナー等の電子機器に使用することにより、これらから放射される放射ノイズを大幅に抑制することができ、他の電子機器への影響を大幅に抑制することができる。
【図面の簡単な説明】
【図１】
第１の実施形態に係るプリント回路板配置構造を示す斜視図。
【図２】
第１の実施形態に係るプリント回路板配置構造の変形例を示す斜視図。
【図３】
第１の実施形態に係るプリント回路板配置構造の変形例を示した図１のＡ−Ａ断
面図。
【図４】
第２の実施形態に係るプリント回路板配置構造を示す斜視図。
【図５】
従来技術の放射ノイズの抑制原理を説明する模式図。
【図６】本発明の放射ノイズの抑制原理を説明する模式図。
【符号の説明】
１  プリント回路板
２  ケーブル
３  コネクタ
４  導電性筐体
５  スペーサ
６  部品
７  穴
１００  電流
１０１  リターン電流
【図１】
2004356249.tif 000003
【図２】
2004356249.tif 000004
【図３】
2004356249.tif 000005
【図４】
2004356249.tif 000006
【図５】
2004356249.tif 000007
【図６】
2004356249.tif 000008